(57)【要約】【課題】設定の変更が容易な画像形成装置の制御装置を提供する。【解決手段】画像形成装置の制御装置は、画像形成装置における画像の形成に係る設定を操作者に入力させるための設定入力手段を備えており、ステープルとじ位置（２点ステープル加工の場合に限る）の設定の変更に連動して、パンチとじ位置および両面印刷とじ位置の設定が変更するとともに、パンチとじ位置の設定の変更に連動して、両面印刷とじ位置の設定が変更する。【選択図】図７
2006154416.tif 000002
【特許請求の範囲】
【請求項１】
設定に従って画像記録シート上に画像を形成する画像形成装置を制御する制御装置であって、
前記画像形成装置における画像の形成に係る設定を操作者に入力させるための設定入力手段と、
前記設定入力手段による第１設定項目の設定の変更に連動して、前記第１設定項目とは異なる第２設定項目の設定を変更する設定変更手段と、
を備え、
前記第２設定項目の変更後の設定は、前記第１設定項目の変更後の設定とともに、前記画像形成装置における画像の形成に適用可能な設定であることを特徴とする制御装置。
【請求項２】
請求項１に記載の制御装置において、
前記設定入力手段が、前記第１設定項目の設定を操作者に入力させるための第１設定入力部と、前記第２設定項目の設定を操作者に入力させるための第２設定入力部とを含み、
前記第１設定入力部による前記第１設定項目の設定の変更に連動して前記第２設定項目の設定が変更された場合に、前記第２設定入力部による前記第２設定項目の設定の変更が禁止されることを特徴とする制御装置。
【請求項３】
請求項１または請求項２に記載の制御装置において、
前記設定変更手段による前記第２設定項目の設定の変更が、前記第１設定項目の設定が所定の設定内容に変更された場合にのみ行われることを特徴とする制御装置。
じ位置）
【請求項４】
請求項１ないし請求項３のいずれかに記載の制御装置において、
前記画像形成装置が、画像記録シートにステープル加工およびパンチ加工を行うことができるとともに、
前記第１設定項目が、画像記録シート上に形成される画像に対するステープルの位置であり、
前記第２設定項目が、画像記録シート上に形成される画像に対するパンチ穴の位置であることを特徴とする制御装置。
【請求項５】
請求項１ないし請求項３のいずれかに記載の制御装置において、
前記画像形成装置が、画像記録シートにステープル加工および両面印刷を行うことができるとともに、
前記第１設定項目が、画像記録シート上に形成される画像に対するステープルの位置であり、
前記第２設定項目が、画像記録シート上に形成される画像に対する両面印刷のとじ位置であることを特徴とする制御装置。
【請求項６】
請求項１ないし請求項３のいずれかに記載の制御装置において、
前記画像形成装置が、画像記録シートにパンチ加工および両面印刷を行うことができるとともに、
前記第１設定項目が、画像記録シートに形成される画像に対するパンチ穴の位置であり、
前記第２設定項目が、画像記録シートに形成される画像に対する両面印刷のとじ位置であることを特徴とする制御装置。
【発明の詳細な説明】
【技術分野】
【０００１】
本発明は、画像形成装置の制御装置に関する。
【背景技術】
【０００２】
従来より、プリンタまたはプリンタの機能を含む複合機等の画像形成装置と、パーソナルコンピュータ等の制御装置とを接続して、制御装置に画像形成装置の制御を行わせる技術が用いられている。この技術においては、画像形成装置を制御するためのプリンタドライバが制御装置にインストールされる。そして、制御装置は、インストールされたプリンタドライバを用いて、画像形成装置における画像形成に適用される設定をページ記述言語で記述されたデータへ変換し、当該データを画像形成装置へ出力することによって、画像形成装置を制御している。
【０００３】
一方、当該制御装置では、不適切な設定を画像形成装置へ与えることを防止するために、操作者に設定を入力させるための設定入力手段が、矛盾した設定が行われることを防止する機能を備える場合がある。例えば、ステープル加工、パンチ加工および両面印刷を行うことができる画像形成装置を制御する制御装置の設定入力手段において、ステープル加工、パンチ加工および両面印刷を行う設定となっている場合、ステープル加工のとじ位置が設定されると、パンチ加工および両面印刷のとじ位置に係る選択肢のうち、ステープル加工のとじ位置と矛盾する（画像形成装置における画像形成に同時に適用できない）設定となる選択肢を削除することが行われている。
【０００４】
なお、特許文献１は、矛盾した設定が行われている場合に、警告を表示したり、とじ動作を禁止したりする技術に関している。
【０００５】
【特許文献１】特開平６−１９１１７７号公報
【発明の開示】
【発明が解決しようとする課題】
【０００６】
上述の例においては、ステープル加工、パンチ加工および両面印刷を行う設定となっている場合に、ステープル加工のとじ位置を変更する場合、ステープル加工以外のパンチ加工および両面印刷を行う設定を解除してから、とじ位置の設定の変更操作を行う必要があり、操作が極めて煩雑であった。特に、設定入力手段において、ステープル加工、パンチ加工および両面印刷の一部または全部の設定が異なる画面で行われる場合、この煩雑さはさらに増加することになる。
【０００７】
本発明は、この問題を解決するためになされたもので、設定の変更が容易な画像形成装置の制御装置を提供することを目的とする。
【課題を解決するための手段】
【０００８】
上記課題を解決するため、請求項１の発明は、設定に従って画像記録シート上に画像を形成する画像形成装置を制御する制御装置であって、前記画像形成装置における画像の形成に係る設定を操作者に入力させるための設定入力手段と、前記設定入力手段による第１設定項目の設定の変更に連動して、前記第１設定項目とは異なる第２設定項目の設定を変更する設定変更手段と、を備え、前記第２設定項目の変更後の設定は、前記第１設定項目の変更後の設定とともに、前記画像形成装置における画像の形成に適用可能な設定である。
【０００９】
請求項２の発明は、請求項１に記載の制御装置において、前記設定入力手段が、前記第１設定項目の設定を操作者に入力させるための第１設定入力部と、前記第２設定項目の設定を操作者に入力させるための第２設定入力部とを含み、前記第１設定入力部による前記第１設定項目の設定の変更に連動して前記第２設定項目の設定が変更された場合に、前記第２設定入力部による前記第２設定項目の設定の変更が禁止される。
【００１０】
請求項３の発明は、請求項１または請求項２に記載の制御装置において、前記設定変更手段による前記第２設定項目の設定の変更が、前記第１設定項目の設定が所定の設定内容に変更された場合にのみ行われる。
【００１１】
請求項４の発明は、請求項１ないし請求項３のいずれかに記載の制御装置において、前記画像形成装置が、画像記録シートにステープル加工およびパンチ加工を行うことができるとともに、前記第１設定項目が、画像記録シート上に形成される画像に対するステープルの位置であり、前記第２設定項目が、画像記録シート上に形成される画像に対するパンチ穴の位置である。
【００１２】
請求項５の発明は、請求項１ないし請求項３のいずれかに記載の制御装置において、前記画像形成装置が、画像記録シートにステープル加工および両面印刷を行うことができるとともに、前記第１設定項目が、画像記録シート上に形成される画像に対するステープルの位置であり、前記第２設定項目が、画像記録シート上に形成される画像に対する両面印刷のとじ位置である。
【００１３】
請求項６の発明は、請求項１ないし請求項３のいずれかに記載の制御装置において、前記画像形成装置が、画像記録シートにパンチ加工および両面印刷を行うことができるとともに、前記第１設定項目が、画像記録シートに形成される画像に対するパンチ穴の位置であり、前記第２設定項目が、画像記録シートに形成される画像に対する両面印刷のとじ位置である。
【発明の効果】
【００１４】
請求項１ないし請求項６の発明によれば、第１設定項目の設定が変更されると、第２設定項目の設定が適切な設定に変更されるので、設定の変更を容易に行うことができる。
【００１５】
請求項２の発明によれば、第２設定入力手段による第２設定項目の設定の変更よりも、第１設定入力手段による第１設定項目の設定の変更の結果の方が優先されるので、第１設定項目と第２設定項目との間に設定上の優先度を定めることが可能になる。
【００１６】
請求項３の発明によれば、必要な場合のみ、第１設定入力手段による第１設定項目の設定の変更に連動して第２設定項目の設定を変更することが可能となる。
【発明を実施するための最良の形態】
【００１７】
本発明の好ましい実施形態に係る画像形成システムは、設定に従って記録紙上に画像を形成する（印刷する）画像形成装置と、当該画像形成装置を制御する制御装置とを備える。当該画像形成装置では、ステープル加工、パンチ加工および両面印刷を行うことができるとともに、当該制御装置では、ステープル加工、パンチ加工および両面印刷のとじ位置の設定を行うことができる。以下では、当該画像形成システムの構成および動作について説明するが、画像形成装置が２穴パンチ加工のみを行うことができる場合について第１実施形態で説明し、画像形成装置が２穴パンチ加工および３穴パンチ加工の両方を行うことができる場合について第２実施形態で説明する。
【００１８】
＜１  第１実施形態＞
＜１．１  構成＞
図１は、本発明の第１実施形態に係る画像形成システム１の構成を示す図である。
【００１９】
図１に示すように、画像形成システム１は、設定に従って記録紙上に画像を形成する画像形成装置１Ａと、画像形成装置１Ａを制御する制御装置１Ｂとを備える。画像形成装置１Ａは、例えば、プリンタ機能、スキャナ機能、ファクシミリ機能およびコピー機能を有する複合機である。また、制御装置１Ｂは、例えば、画像形成装置１Ａと通信可能に接続されたパーソナルコンピュータである。画像形成装置１Ａと制御装置１Ｂとの接続は、ＬＡＮ、パラレルインターフェースおよびＵＳＢインターフェース等によって実現される。
【００２０】
この画像形成装置１Ａは、記録紙だけでなく、ＯＨＰ用画像記録フィルムなどを含めた画像記録シート一般について画像記録を行うことが可能であるが、以下では記録紙に画像記録を行う場合を例にとって説明を行う。
【００２１】
また、以下では、これらの画像形成装置１Ａおよび制御装置１Ｂの構成を個別に説明するが、制御装置１Ｂを画像形成装置１Ａに組み込んで、画像形成システム１を一体のものとして構成することも妨げられない。
【００２２】
＜１．１．１  画像形成装置の構成＞
図２の概略外観図に示すように、画像形成装置１Ａは、筐体ＨＳの上面に設けられたスキャナ１１と、筐体ＨＳに内蔵されたプリンタ１２と、筐体ＨＳにおいて前方へ突出した表示部１３および操作部１４と、筐体ＨＳの下部に設けられた給紙部１５とを備える。さらに、画像形成装置１Ａには、フィニッシング処理を行うフィニッシャ１６および両面印刷を可能ならしめる両面プリントユニット１８が筐体ＨＳの側面に装着され、スキャナ１１へ原稿を給送するＡＤＦを備えるブックカバー１７が筐体ＨＳの上面に取り付けられる。
【００２３】
スキャナ１１は、ＦＢＳ（Flat Bed Scanner）方式およびＡＤＦ（Automatic Document Feeder）方式により、原稿上の画像の読取を行う。
【００２４】
プリンタ１２は、記録紙上に画像を形成し、画像が形成された記録紙を出力する。プリンタ１２は、例えば、ＬＥＤプリンタヘッドを有する電子写真方式のプリンタユニットであり、与えられた画像データに係る画像を記録紙上に形成する。
【００２５】
画像形成装置１Ａには、ユーザインターフェースとして、表示部１３および操作部１４が設けられる。
【００２６】
給紙部１５は、前方に引き出し可能な４個の給紙カセット１５１〜１５４を備える。各給紙カセット１５１〜１５４には、所定のサイズ（例えば、Ａ４，Ｂ５等）の記録紙が所定の向き（縦、横）で格納される。
【００２７】
フィニッシャ１６は、画像が形成された記録紙に、ステープル加工やパンチ加工等のフィニッシング処理を施して、当該記録紙を排紙トレイ１６１へ出力する。なお、画像形成装置１Ａでは、図３に示すように、記録紙Ｐの排出方向に向かって後方の辺のみにパンチ加工すなわちパンチ穴ＰＨの形成（図３（１）参照）またはステープル加工すなわちステープルＳＴの打ち込み（図３（２）参照）を行うことができる。ここで、図２および図３における矢印ＡＲ１は、画像が形成された記録紙の排出方向を示している。
【００２８】
両面プリントユニット１８は、記録紙の両面への画像形成（両面印刷）を実現するための記録紙の給送を行っている。
【００２９】
画像形成装置１Ａにおいては、フィニッシャ１６および両面プリントユニット１８は、任意に装着可能なオプションとなっている。
【００３０】
画像形成装置１Ａは、ページ記述言語で記述されたデータが制御装置１Ｂから与えられると、給紙カセット１５１〜１５４等にセットされた用紙を記録紙として引き出してプリンタ１２へ給送し、当該データに含まれる印刷データに基づく画像をプリンタ１２を用いて引き出した記録紙上に形成する。さらに、画像形成装置１Ａは、排紙トレイ１６１への記録紙の排出に先立って、当該データにおいて指定された処理（フィニッシング処理や両面印刷処理）を記録紙に対して行う。これにより、画像形成装置１Ａは、制御装置１Ｂで入力された設定に従って記録紙上に画像を形成することができる。
【００３１】
＜１．１．２  制御装置の構成＞
図１に示すように、制御装置１Ｂは、ＣＰＵ２１と、メモリ２２と、ハードディスクドライブ（ＨＤＤ）２３とを備えるパーソナルコンピュータである。当該パーソナルコンピュータは、ハードディスクドライブ２３にインストールされた制御プログラムであるプリンタドライバＰＤを読み出して実行することにより、画像形成装置１Ａを制御する制御装置として機能している。なお、制御装置１Ｂの機能の一部または全部をハードウエアで実装することも妨げられない。
【００３２】
さらに、制御装置１Ｂは、ユーザインターフェースであるディスプレイ２４とキーボード２５とマウス２６とを備える。制御装置１Ｂでは、ＧＵＩインターフェースが採用されているので、操作者は、ディスプレイ２４に表示されたＧＵＩ画面に対して、キーボード２５やマウス２６を用いたＧＵＩ操作を行うことにより、制御装置１Ｂに指示を与えることができる。
【００３３】
制御装置１Ｂは、インストールされた様々なプログラムによって生成された印刷データと、画像形成装置１Ａの設定を入力するためのＧＵＩ画面によって入力された設定とを、プリンタドライバＰＤを用いてＰＣＬ（登録商標）やＰｏｓｔＳｃｒｉｐｔ（登録商標）等のページ記述言語で記述されたデータへ変換し、当該データを画像形成装置１Ａへ出力することによって、画像形成装置１Ａを制御している。
【００３４】
＜１．１．３  ＧＵＩ画面＞
続いて、画像形成装置１Ａにおける画像の形成に係る設定を操作者に入力させるためにディスプレイ２４に表示されるＧＵＩ画面について説明する。図４〜図６に示すように、当該ＧＵＩ画面は、ＯＫボタンＢ１、キャンセルボタンＢ２、適用ボタンＢ３およびヘルプボタンＢ４を含むとともに、タブＴＡＢに対する操作により、表示されるＧＵＩ画面を、用紙設定画面３０（図４）、ページレイアウト設定画面４０（図５）および出力設定画面５０（図６）の間で切り替えることができる。
【００３５】
なお、後述するように、これらのＧＵＩ画面では、画像形成装置１Ａにおける画像形成に適用不可能な設定の入力が制限される場合があるが、ここでは、設定の入力が制限されていない状態（初期化された状態）について最初に説明し、設定の入力の制限については後述する。
【００３６】
○用紙設定画面；
図４は、記録紙として用いられる用紙に係る設定を操作者に入力させるための用紙設定画面３０の一例を図示する図である。
【００３７】
図４に示すように、用紙設定画面３０は、プレビュー部ＰＶと、用紙サイズ設定部３１と、給紙設定部３２とを備える。
【００３８】
プレビュー部ＰＶは、現在の設定を画像形成装置１Ａにおける画像形成に適用した場合に出力される印刷物を模式的に表示しており、操作者がＧＵＩ画面において設定を変更すると、当該変更に応答してプレビュー部ＰＶにおける表示も更新される。なお、ページレイアウト設定画面４０および出力設定画面５０にも同様のプレビュー部ＰＶが設けられている。
【００３９】
続いて、用紙設定画面３０において操作者のＧＵＩ操作の対象となるＧＵＩ操作部材について説明する。
【００４０】
用紙サイズ設定部３１は、記録紙として用いられる用紙のサイズを設定するための用紙サイズコンボボックス３１１と、印刷の向きを設定するための印刷向きコンボボックス３１２と、不定形のサイズの用紙を記録紙として使用する設定を行う画面（不図示）を呼び出すための不定形用紙設定ボタン３１３とを備える。用紙サイズコンボボックス３１１では、記録紙として用いられる定形の用紙サイズに関する複数の選択肢（例えば、「Ａ３」「Ａ４」「Ａ５」「Ａ６」「Ｂ４」「Ｂ５」「Ｌｅｔｔｅｒ」「Ｈａｌｆ  Ｌｅｔｔｅｒ」「Ｌｅｄｇｅｒ」「ＤＬ」「ＣＯＭ１０」および「はがき」）からひとつを選択して設定可能である。印刷向きコンボボックス３１２では、矩形の用紙の向きに関するの２個の選択肢（「縦（ポートレート）」および「横（ランドスケープ）」）からひとつを選択して設定可能である。
【００４１】
給紙設定部３２は、記録紙として用いられる用紙の給紙元を設定するための給紙コンボボックス３２１を備える。給紙コンボボックス３２１では、記録紙として用いられる用紙の給紙元に関する複数の選択肢（例えば、「カセット１」「カセット２」「カセット３」「カセット４」「給紙トレイ」および「ＬＣＣ」）からひとつを選択して設定可能である。
【００４２】
○ページレイアウト設定画面；
図５は、記録紙上に形成される画像のレイアウトであるページレイアウトに係る設定を操作者に入力させるためのページレイアウト設定画面４０の一例を図示する図である。
【００４３】
図５に示すように、ページレイアウト設定画面４０は、プレビュー部ＰＶと、両面印刷設定部４１と、集約設定部４２とを備える。
【００４４】
両面印刷設定部４１は、両面印刷チェックボックス４１１と、両面印刷とじ位置コンボボックス４１２とを備える。
【００４５】
両面印刷チェックボックス４１１では、チェックがなされると、両面印刷を行う設定となり、チェックがはずされると、両面印刷を行う設定が解除される。両面印刷とじ位置コンボボックス４１２では、両面印刷のとじ位置（記録紙上に形成される画像に対するとじ辺の位置：以下では、「両面印刷とじ位置」とも称する）に関するの３個の選択肢（「上とじ」「左とじ」および「右とじ」）からひとつを選択して設定可能である。
【００４６】
集約設定部４２は、集約ページ数コンボボックス４２１を備える。集約ページ数コンボボックス４２１では、１枚の記録紙に集約印刷されるページ数に関する４個の選択肢（「ｏｆｆ」「２枚」「４枚」および「８枚」）からひとつを選択して設定可能である。ここで、「ｏｆｆ」の選択肢は、集約の機能が解除され、１枚の記録紙に印刷されるページ数が１ページのみであることを示している。
【００４７】
○出力設定画面；
図６は、画像形成後の記録紙の出力に係る設定を操作者に入力させるための出力設定画面５０の一例を図示する図である。
【００４８】
図６に示すように、出力設定画面５０は、プレビュー部ＰＶと、ソート設定部５１と、シフト設定部５２と、ステープル設定部５３と、パンチ設定部５４とを備える。
【００４９】
ソート設定部５１は、ラジオボタン５１１，５１２を備える。ラジオボタン５１１，５１２は、排他的に選択可能となっており、ラジオボタン５１２が選択された場合、フィニッシャ１６においてソートを行う設定となり、ラジオボタン５１１が選択された場合、フィニッシャ１６においてソートを行う設定が解除される。
【００５０】
シフト設定部５２は、ラジオボタン５２１，５２２を備える。ラジオボタン５２１，５２２は、排他的に選択可能となっており、ラジオボタン５２２が選択された場合、フィニッシャ１６においてシフトを行う設定となり、ラジオボタン５２１が選択された場合、フィニッシャ１６においてシフトを実行する設定が解除される。
【００５１】
ステープル設定部５３は、ステープルチェックボックス５３１と、ステープルコンボボックス５３２とを備える。ステープルチェックボックス５３１では、チェックがなされると、ステープル加工を行う設定となり、チェックがはずされると、ステープル加工を行う設定が解除される。ステープルコンボボックス５３２では、記録紙へ打ち込まれるステープルの数（以下では、「ステープル数」とも称する）およびステープル加工の位置（以下では、「ステープルとじ位置」とも称する）に関する５個の選択肢（「１点［左上］」「１点［右上］」「２点［上］」「２点［左］」および「２点［右］」）からひとつを選択して設定可能である。ここで、「１点」および「２点」は、ステープル数である。また、「左上」「右上」「上」「左」および「右」は、ステープルとじ位置であり、記録紙上に形成される画像に対するステープルの位置によって示されており、１点ステープル加工の場合は隅（コーナー）の位置、２点ステープル加工の場合は辺（エッジ）の位置に相当している。
【００５２】
パンチ設定部５４は、パンチチェックボックス５４１と、パンチコンボボックス５４２とを備える。パンチチェックボックス５４１では、チェックがなされると、パンチ加工を行う設定となり、チェックがはずされると、パンチ加工を行う設定が解除される。パンチコンボボックス５４２では、パンチ加工の位置（以下では、「パンチとじ位置」とも称する）に関する３個の選択肢（「２穴［上］」「２穴［左］」および「２穴［右］」）からひとつを選択して設定可能である。ここで、「２穴」は、記録紙に形成されるパンチ穴の数（以下では、「パンチ穴数」とも称する）である。また、「上」「左」および「右」は、記録紙上に形成される画像に対するパンチ穴の位置によって示されており、辺（エッジ）の位置に相当している。
【００５３】
なお、上述の説明では、ステープルとじ位置、パンチとじ位置および両面印刷とじ位置は、「記録紙（一般には画像記録シート）上に形成される画像に対する位置」として定義したが、これは、「画像記録シート上の画像レイアウト方向を基準とした位置」として表現することも可能であり、より具体的には「画像形成との関係で画像記録シートに定義された上下左右の各辺のいずれかを対象とした位置」とも規定できる。
【００５４】
＜１．２  動作＞
図７は、第１実施形態に係る、ステープルとじ位置、パンチとじ位置および両面印刷とじ位置等の設定項目の設定の間の依存関係を模式的に示す図である。
【００５５】
図７に示すように、第１実施形態では、ステープルとじ位置（２点ステープル加工の場合に限る）の設定に連動して、パンチとじ位置および両面印刷とじ位置の設定が行われるとともに、パンチとじ位置の設定に連動して、両面印刷とじ位置の設定が行われる。さらに、第１実施形態では、ステープルとじ位置（１点ステープル加工の場合に限る）とパンチとじ位置との間で相互に設定の制限が行われるとともに、ステープルとじ位置（１点ステープル加工の場合に限る）と両面印刷とじ位置との間で相互に設定の制限が行われる。なお、ここでいう「連動」とは、一の設定項目の設定の変更に同期して、他の設定項目の設定を、当該一の設定項目の変更後の設定とともに画像形成装置１Ａにおける画像の形成に適用可能な設定へ自動的に変更することを意味している。また、ここでいう「制限」とは、一の設定項目の設定に同期して、他の設定項目の設定に係る選択肢から、当該一の設定項目の変更後の設定とともに画像形成装置１Ａにおける画像の形成に適用不可能な設定に対応する選択肢を削除することを意味している。
【００５６】
以下では、プリンタドライバＰＤによって実現される、このような連動処理および制限処理のための動作について、図８〜図１３を参照しながら説明する。
【００５７】
＜１．２．１  ステープルとじ位置を入力した場合＞
図８〜図１０は、ステープルチェックボックス５３１にチェックをいれてステープル加工を行う設定にするとともに、ステープルコンボボックス５３２によりステープル数およびステープルとじ位置を入力（選択設定）した場合の、パンチコンボボックス５４２および両面印刷とじ位置コンボボックス４１２における変化を説明するフローチャートである。なお、以下の説明では、コンボボックスやチェックボックス等のＧＵＩ部材をグレーアウトして操作者によるＧＵＩ操作が禁止された状態とすること、すなわち、操作者のＧＵＩ操作を受け付けない状態とすることを「無効化」とも称する。
【００５８】
図８〜図１０に示すように、ステープル加工を行う設定がなされるとともに、ステープルコンボボックス５３２を用いてステープル数およびステープルとじ位置が入力されると、最初に、ステープル数に応じた処理の分岐が行われる（ステップＳ１０１）。
【００５９】
ステップＳ１０１において、ステープル数が２個の場合（２点ステープル加工の場合）、両面印刷とじ位置の設定がステープルとじ位置の設定に連動して上書き変更されるとともに（ステップＳ１０２）、パンチとじ位置の設定がステープルとじ位置の設定に連動して上書き変更され（ステップＳ１０３）、しかる後に動作フローは終了する。ここで、ステープルとじ位置が「上］「左」または「右」に選択設定された場合、両面印刷とじ位置の変更後の設定は、両面印刷を行う設定の有無に関わらず、それぞれ、「上とじ」「左とじ」または「右とじ」となり、設定変更終了後に両面印刷とじ位置コンボボックス４１２は無効化される。同様に、ステープルとじ位置が「上」「左」または「右」に選択設定された場合、パンチとじ位置の変更後の設定は、パンチ加工を行う設定の有無に関わらず、それぞれ、「上」「左」または「右」となり、設定変更終了後にパンチコンボボックス５４２は無効化される。
【００６０】
ステップＳ１０２およびＳ１０３により、ステープルとじ位置の設定が変更されると、それに連動して、両面印刷とじ位置およびパンチとじ位置の設定も変更され、両面印刷とじ位置およびパンチとじ位置の変更後の設定は、ステープルとじ位置の変更後の設定とともに前記画像形成装置１Ａにおける画像の形成に適用可能な（辺の位置が一致する）設定となる。これにより、ステープルとじ位置の設定が変更されると、両面印刷とじ位置およびパンチとじ位置の設定が適切な設定に自動的に変更されるので、設定の変更を容易に行うことができる。
【００６１】
なお、ステップＳ１０２およびＳ１０３の処理を、２点ステープル加工の場合にのみ行うのは、２点ステープル加工の場合、ステープルとじ位置の選択肢と、パンチとじ位置および両面印刷とじ位置の選択肢とが、１対１に対応しているので、ステープルとじ位置が決まれば、適切なパンチとじ位置および両面印刷とじ位置がひとつに定まるのに対して、１点ステープル加工の場合、ステープルとじ位置の選択肢と、パンチとじ位置および両面印刷とじ位置の選択肢とが、１対１に対応しておらず、ステープルとじ位置が決まっても、適切なパンチとじ位置および両面印刷とじ位置がひとつに定まらないことに起因している。
【００６２】
さらに、この動作フローでは、ステープルコンボボックス５３２によるステープルとじ位置の設定の変更に連動してパンチとじ位置および両面印刷とじ位置の設定が変更された場合に、ステープル加工を行う設定が解除されない限り、パンチコンボボックス５４２によるパンチとじ位置の設定の変更や両面印刷とじ位置コンボボックス４１２による両面印刷とじ位置の設定の変更が禁止される。これにより、パンチコンボボックス５４２によるパンチとじ位置の設定の変更や両面印刷とじ位置コンボボックス４１２による両面印刷とじ位置の設定の変更よりも、ステープルコンボボックス５３２によるステープルとじ位置の設定の変更の結果の方が優先されるので、ステープルとじ位置の設定上の優先度を、パンチとじ位置および両面印刷とじ位置よりも高くすることができる。
【００６３】
なお、ステープルとじ位置の優先度をパンチとじ位置や両面印刷とじ位置よりも高く定めているのは、ステープルとじ位置、パンチとじ位置および両面印刷とじ位置の連動の可否が、ステープル数に依存しており、２点ステープル加工を行う場合のみ、ステープルとじ位置と、パンチとじ位置および両面印刷とじ位置とを連動させる必要があることによる。
【００６４】
ここで、再びステップＳ１０１に戻って説明を続ける。
【００６５】
ステップＳ１０１において、ステープル数が１個の場合（１点ステープルの場合）、ステープルとじ位置の設定が判定され（ステップＳ１０４）、ステープルとじ位置が「左上」に選択設定されている場合、両面印刷とじ位置コンボボックス４１２の選択肢から「右とじ」が削除され（ステップＳ１０５）、ステープルとじ位置が「右上」に選択設定されている場合、両面印刷とじ位置コンボボックス４１２の選択肢から「左とじ」が削除される（ステップＳ１０６）。ステップＳ１０５およびＳ１０６により、ステープルとじ位置（隅）が両面印刷とじ位置（辺）と異なる辺にあるような不適切な選択肢が削除され、不適切な設定がなされることを防止可能である。
【００６６】
ステップＳ１０５またはＳ１０６に続くステップＳ１０７では、現時点で選択されている両面印刷とじ位置の選択肢が両面印刷とじ位置コンボボックス４１２に残っているか否かによる処理の分岐が行われ、残っている場合、ステップＳ１１１への移行が行われ、残っていない場合、ステップＳ１０８への移行が行われる。
【００６７】
ステップＳ１０８では、再びステープルとじ位置の設定が判定され、ステープルとじ位置が「左上」に選択設定されている場合、両面印刷とじ位置の設定も「左とじ」となり（ステップＳ１０９）、しかる後にステップＳ１１１への移行が行われ、ステープルとじ位置が「右上」に選択設定されている場合、両面印刷とじ位置の設定も「右とじ」となり（ステップＳ１１０）、しかる後にステップＳ１１１への移行が行われる。
【００６８】
ステップＳ１１１では、用紙サイズに応じたパンチとじ位置の制限が行われる。この制限は、定形紙の主走査辺の長さが２９７ｍｍより大さい場合には主走査辺にパンチ加工を行うことができないという画像形成装置１Ａのハードウエア的な制約に起因して行われており、長さが２９７ｍｍより大きい定形紙の辺へパンチ加工を行うことになる選択肢をパンチコンボボックス５４２から削除することにより実現される。
【００６９】
ステップＳ１１２では、ステープルとじ位置の設定が判定され、ステープルとじ位置が「左上」に選択設定されている場合、パンチコンボボックス５４２の選択肢から「２穴［右］」が削除され（ステップＳ１１３）、ステープルとじ位置が「右上」に選択設定されている場合、パンチコンボボックス５４２の選択肢から「２穴［左］」が削除される（ステップＳ１１４）。ステップＳ１１３およびＳ１１４により、ステープルとじ位置（隅）がパンチとじ位置（辺）と異なる辺にあるような不適切な選択肢が削除され、不適切な設定がなされることを防止可能である。
【００７０】
ステップＳ１１３またはＳ１１４に続くステップＳ１１５では、現時点で選択されているパンチとじ位置の選択肢がパンチコンボボックス５４２に残っているか否かによる処理の分岐が行われ、残っている場合、動作フローが終了し、残っていない場合、ステップＳ１１６への移行が行われる。
【００７１】
さらに、ステップＳ１１６では、ステープルとじ位置の設定が判定され、ステープルとじ位置が「左上」に選択設定されている場合、パンチとじ位置の設定が「左」となり（ステップＳ１１７）、しかる後に動作フローが終了し、ステープルとじ位置が「右上」に選択設定されている場合、パンチとじ位置の設定が「右」となり（ステップＳ１１８）、しかる後に動作フローが終了する。
【００７２】
上述のステップＳ１０５，Ｓ１０６，Ｓ１１３およびＳ１１４における処理は、不適切な選択肢をパンチコンボボックス５４２または両面印刷とじ位置コンボボックス４１２から削除する制限処理となっている。
【００７３】
なお、このような制限処理を行っても、パンチ加工（両面印刷）を行う設定となっている場合に、現時点のパンチとじ位置（両面印刷とじ位置）の設定に対応する選択肢がパンチコンボボックス５４２（両面印刷とじ位置コンボボックス４１２）から削除される恐れはない。なぜならば、パンチ加工（両面印刷）を行う設定がなされるとともに、パンチとじ位置（両面印刷とじ位置）が既に設定されている場合、既に設定されているパンチとじ位置（両面印刷とじ位置）とともに画像形成装置１Ａにおける画像形成に適用できない設定に対応する選択肢はあらかじめステープルコンボボックス５３２から削除されているからである。
【００７４】
＜１．２．２  パンチとじ位置を入力した場合＞
図１１は、パンチチェックボックス５４１にチェックをいれてパンチ加工を行う設定にするとともに、パンチコンボボックス５４２を用いてパンチとじ位置を入力（選択設定）した場合の、ステープルコンボボックス５３２における変化を説明するフローチャートである。
【００７５】
図１１に示すように、パンチ加工を行う設定がなされるとともに、パンチコンボボックス５４２を用いてパンチとじ位置が入力されると、最初に、両面印刷とじ位置の設定がパンチとじ位置の設定に連動して上書き変更される（ステップＳ２０１）。
【００７６】
ここで、パンチとじ位置が「上」「左」または「右」に選択設定された場合、両面印刷とじ位置の変更後の設定は、両面印刷を行う設定の有無に関わらず、それぞれ、「上とじ」「左とじ」または「右とじ」となり、設定変更終了後に両面印刷とじ位置コンボボックス４１２は無効化される。
【００７７】
ステップＳ２０１により、パンチとじ位置の設定が変更されると、それに連動して、両面印刷とじ位置の設定も変更され、両面印刷とじ位置の変更後の設定は、パンチとじ位置の変更後の設定とともに、前記画像形成装置１Ａにおける画像の形成に適用可能な（辺の位置が一致する）設定となる。これにより、パンチとじ位置の設定が変更されると、両面印刷とじ位置の設定が適切な設定に自動的に変更されるので、設定の変更を容易に行うことができる。
【００７８】
さらに、この動作フローでは、パンチコンボボックス５４２によるパンチとじ位置の設定の変更に連動して両面印刷とじ位置の設定が変更された場合に、パンチ加工を行う設定が解除されない限り、両面印刷とじ位置コンボボックス４１２による両面印刷とじ位置の設定の変更が禁止される。これにより、制御装置１Ｂでは、両面印刷とじ位置コンボボックス４１２による両面印刷とじ位置の設定の変更よりも、パンチコンボボックス５４２によるパンチとじ位置の設定の変更の結果の方が優先されるので、パンチとじ位置の設定上の優先度を、両面印刷とじ位置よりも高くすることができる。
【００７９】
一方、この動作フローでは、ステープルとじ位置の設定上の優先度がパンチとじ位置よりも高くなっているので、パンチとじ位置の設定が変更されるのに連動してステープルとじ位置の設定が上書き変更されることはない。
【００８０】
ここで、再びステップＳ２０１に戻って説明を続ける。
【００８１】
ステップＳ２０１に続くステップＳ２０２では、パンチとじ位置の設定が判定され、パンチとじ位置が「左」に選択設定されている場合、ステープルコンボボックス５３２の選択肢から「１点［右上］」が削除され（ステップＳ２０３）、パンチとじ位置が「右」に選択設定されている場合、ステープルコンボボックス５３２の選択肢から「１点［左上］」が削除される（ステップＳ２０４）。そして、ステップＳ２０３またはＳ２０４の終了後、ステップＳ２０５への移行が行われる。また、ステップＳ２０２において、パンチとじ位置が「上」に選択設定されている場合、直接ステップＳ２０５への移行が行われる。ステップＳ２０３およびＳ２０４により、ステープルとじ位置（隅）がパンチとじ位置（辺）と異なる辺にあるような不適切な選択肢が削除され、不適切な設定がなされることを防止可能である。なお、ステップＳ２０３およびＳ２０４の制限処理において、「２点（右）」および「２点（左）」の選択肢の削除、すなわち、２点ステープル加工に対する制限処理を行わないのは、２点ステープル加工に対する制限処理を行うと、ステープルとじ位置にパンチとじ位置を連動させる連動処理を適切に行うことができなくなるためである。
【００８２】
ステップＳ２０５では、現時点で選択されているステープル数およびステープルとじ位置の選択肢がステープルコンボボックス５３２に残っているか否かによる処理の分岐が行われ、残っている場合、動作フローが終了し、残っていない場合、ステップＳ２０６への移行が行われる。
【００８３】
ステップＳ２０６では、パンチとじ位置の設定が判定され、パンチとじ位置が「右」に選択設定されている場合、ステープル数およびステープルとじ位置の設定が「１点［右上］」となり（ステップＳ２０７）、しかる後に動作フローが終了し、パンチとじ位置が「左」または「上」に選択設定されている場合、ステープル数およびステープルとじ位置の設定が「１点［左上］」となり（ステップＳ２０８）、しかる後に動作フローが終了する。
【００８４】
なお、ステップＳ２０３およびＳ２０４のような制限処理を行っても、ステープル加工を行う設定となっている場合に、現時点のステープル数およびステープルとじ位置の設定に対応する選択肢がパンチコンボボックス５４２から削除される恐れはない。なぜならば、ステープル加工を行う設定がなされるとともに、ステープルとじ位置が既に設定されている場合、既に設定されているステープル数およびステープルとじ位置とともに画像形成装置１Ａにおける画像形成に適用できない設定はあらかじめパンチコンボボックス５４２から削除されているからである。
【００８５】
＜１．２．３  両面印刷とじ位置を入力した場合＞
図１２および図１３は、両面印刷チェックボックス４１１にチェックをいれて両面印刷を行う設定にするとともに、両面印刷とじ位置コンボボックス４１２を用いて両面印刷とじ位置を入力（選択設定）した場合の、ステープルコンボボックス５３２における変化を説明するフローチャートである。
【００８６】
図１２および図１３に示すように、両面印刷を行う設定がなされるとともに、両面印刷とじ位置コンボボックス４１２を用いて両面印刷とじ位置が入力されると、最初に、用紙サイズに応じたステープルとじ位置の制限が行われる（ステップＳ３０１）。この制限は、定形紙の主走査辺の長さが２９７ｍｍより大さい場合には主走査辺にステープル加工を行うことができないという画像形成装置１Ａのハードウエア的な制約に起因して行われており、長さが２９７ｍｍより大きい定形紙の辺へステープル加工を行うことになる選択肢をステープルコンボボックス５３２から削除することにより実現される。
【００８７】
続いて、両面印刷とじ位置の設定が判定され（ステップＳ３０２）、両面印刷とじ位置が「左とじ」に選択設定されている場合、ステープルコンボボックス５３２の選択肢から「１点［右上］」が削除され（ステップＳ３０３）、両面印刷とじ位置が「右とじ」に選択設定されている場合、ステープルコンボボックス５３２の選択肢から「１点［左上］」が削除される（ステップＳ３０４）。そして、ステップＳ３０３またはＳ３０４の終了後、ステップＳ３０５への移行が行われる。また、ステップＳ３０２において、両面印刷とじ位置が「上とじ」に選択設定されている場合、直接ステップ３０５への移行が行われる。ステップＳ３０３およびＳ３０４により、ステープルとじ位置（隅）が両面印刷とじ位置（辺）と異なる辺にあるような不適切な選択肢が削除され、不適切な設定がなされることを防止可能である。なお、ステップＳ３０３およびＳ３０４の制限処理において、それぞれ、「２点（右）」および「２点（左）」の選択肢の削除、すなわち、２点ステープルに対する制限処理を行わないのは、２点ステープルに対する制限処理を行うと、ステープルとじ位置に両面印刷とじ位置を連動させる連動処理を適切に行うことができなくなるためである。
【００８８】
ステップＳ３０５では、２点ステープルに係るステープルとじ位置で両面印刷とじ位置を上書き変更する処理が行われる。
【００８９】
ステップＳ３０６では、現時点で選択されているステープル数およびステープルとじ位置の選択肢がステープルコンボボックス５３２に残っているか否かによる処理の分岐が行われ、残っている場合、ステップＳ３１０への移行が行われ、残っていない場合、ステップＳ３０７への移行が行われる。
【００９０】
ステップＳ３０７では、両面印刷とじ位置の設定が判定され、両面印刷とじ位置が「右とじ」に選択設定されている場合、ステープル数およびステープルとじ位置の設定が「１点［右上］」となり（ステップＳ３０８）、しかる後にステップＳ３１０への移行が行われ、両面印刷とじ位置が「左とじ」または「上とじ」に選択設定されている場合、ステープル数およびステープルとじ位置の設定が「１点［左上］」となり（ステップＳ３０９）、しかる後にステップＳ３１０への移行が行われる。
【００９１】
ステップＳ３１０では、パンチとじ位置で両面印刷とじ位置を上書き変更する処理が行われる。
【００９２】
この動作フローでは、ステープルとじ位置およびパンチとじ位置の設定上の優先度が両面印刷とじ位置よりも高くなっているので、両面印刷とじ位置が変更されるのに連動してステープルとじ位置およびパンチとじ位置が上書き変更されることはない。両面印刷とじ位置の優先度をこのように最も低くすることにより、ステープルコンボボックス５３２およびパンチコンボボックス５４２とは異なる設定画面に含まれる両面印刷コンボボックス４１２に対する操作の必要性が生じる機会を減らすことができる。
【００９３】
なお、ステップＳ３０３およびＳ４０４のような制限処理を行っても、ステープル加工を行う設定となっている場合に、現時点のステープル数およびステープルとじ位置の設定に対応する選択肢がパンチコンボボックス５４２から削除される恐れはない。なぜならば、ステープル加工を行う設定がなされるとともに、ステープル数およびステープルとじ位置が既に設定されている場合、既に設定されているステープル数およびステープルとじ位置とともに画像形成装置１Ａにおける画像形成に適用できない設定はあらかじめ両面印刷とじ位置コンボボックス４１２から削除されているからである。
【００９４】
＜２  第２実施形態＞
本発明の第２実施形態に係る画像形成システム２は、第１実施形態に係る画像形成システム１と類似の構成を有しており、＜１．１  構成＞の欄における図１〜図６の説明は、画像形成システム２についてもほぼ当てはまる。
【００９５】
ただし、画像形成システム２では、パンチコンボボックス５４２において、「２穴［上］」「２穴［左］」および「２穴［右］」の選択肢に加えて、「３穴［左］」「３穴［右］および「３穴［上］」の選択肢も選択設定可能となっており、連動処理および制限処理が画像形成システム１とは異なっている。ここで、「３穴」は、記録紙に形成されるパンチ穴の数であり、画像形成装置１Ａに３穴パンチ加工を実行させることを意味している。
【００９６】
以下では、このような画像形成システム２について説明するが、画像形成システム１との共通点についての重複説明は省略し、相違点についてのみ説明を行う。
【００９７】
＜２．１  動作＞
図１４は、第２実施形態に係る、ステープルとじ位置、パンチとじ位置および両面印刷とじ位置等の設定項目の設定の間の依存関係を模式的に示す図である。
【００９８】
図１４に示すように、第２実施形態では、第１実施形態と異なり、ステープルとじ位置の設定に連動して、パンチとじ位置の設定が行われることはなく、ステープルとじ位置（２点ステープル加工の場合）とパンチとじ位置との間で相互に設定の制限が行われる。これは、第２実施形態では、３穴パンチ加工を行うことができるので、２点ステープル加工に係るステープルとじ位置の選択肢とパンチとじ位置の選択肢とが１対１に対応しておらず、ステープルとじ位置を決定しても、パンチとじ位置を決定できないことに起因している。
【００９９】
以下では、プリンタドライバＰＤによって実現される、このような設定の変更および選択肢の制限に係る動作について、図１５〜図１８を参照しながら説明する。
【０１００】
＜２．１．１  ステープルとじ位置を入力した場合＞
図１５および図１６は、ステープルチェックボックス５３１にチェックをいれてステープル加工を行う設定にするとともに、ステープルコンボボックス５３２により記録紙へ打ち込まれるステープルの数およびステープルとじ位置を入力（選択設定）した場合の、パンチコンボボックス５４２および両面印刷とじ位置コンボボックス４１２における変化を説明するフローチャートである。
【０１０１】
図１５および図１６に示すように、ステープル加工を行う設定がなされるとともに、ステープルコンボボックス５３２を用いてステープル数およびステープルとじ位置が入力されると、最初に、ステープル数に応じた処理の分岐が行われる（ステップＳ４０１）。
【０１０２】
ステップＳ４０１において、ステープル数が２個の場合（２点ステープル加工の場合）、両面印刷とじ位置の設定がステープルとじ位置の設定に連動して上書き変更されるとともに（ステップＳ１０２）、ステップＳ４１０への移行が行われる。なお、第１実施形態と異なり、ステップＳ４０２に続いてパンチとじ位置の設定がステープルとじ位置の設定に連動して上書き変更されることはない。ここで、ステープルとじ位置が「上」「左」または「右」に選択設定された場合、両面印刷とじ位置の変更後の設定は、両面印刷を行う設定の有無に関わらず、それぞれ、「上とじ」「左とじ」または「右とじ」となり、設定変更処理終了後に両面印刷とじ位置コンボボックス４１２は無効化される。
【０１０３】
ステップＳ４０２により、ステープルとじ位置の設定が変更されると、それに連動して、両面印刷とじ位置の設定も変更され、両面印刷とじ位置の変更後の設定は、ステープルとじ位置の変更後の設定とともに前記画像形成装置１Ａにおける画像の形成に適用可能な（辺の位置が一致する）設定となる。これにより、ステープルとじ位置の設定が変更されると、両面印刷とじ位置の設定が適切な設定に自動的に変更されるので、設定の変更を容易に行うことができる。
【０１０４】
なお、ステップＳ４０２の処理を、２点ステープル加工の場合にのみ行うのは、２点ステープル加工の場合、ステープルとじ位置の選択肢と、両面印刷とじ位置の選択肢とが、１対１に対応しているので、ステープルとじ位置が決まれば、適切な両面印刷とじ位置がひとつに定まるのに対して、１点ステープル加工の場合、ステープルとじ位置の選択肢と、両面印刷とじ位置の選択肢とが、１対１に対応しておらず、ステープルとじ位置が決まっても、適切な両面印刷とじ位置がひとつに定まらないことに起因している。
【０１０５】
さらに、この動作フローでは、ステープルコンボボックス５３２によるステープルとじ位置の設定の変更に連動して両面印刷とじ位置の設定が変更された場合に、ステープル加工を行う設定が解除されない限り、両面印刷とじ位置コンボボックス４１２による両面印刷とじ位置の設定の変更が禁止される。これにより、両面印刷とじ位置コンボボックス４１２による両面印刷とじ位置の設定の変更よりも、ステープルコンボボックス５３２によるステープルとじ位置の設定の変更の結果の方が優先されるので、ステープルとじ位置の設定上の優先度を、両面印刷とじ位置よりも高くすることができる。
【０１０６】
なお、ステープルとじ位置の優先度を両面印刷とじ位置よりも高く定めているのは、ステープルとじ位置および両面印刷とじ位置の連動の可否がステープル数に依存しており、２点ステープル加工を行う場合のみ、ステープルとじ位置と両面印刷とじ位置とを連動させる必要があることによる。
【０１０７】
ここで、再びステップＳ４０１に戻って説明を続ける。
【０１０８】
ステップＳ４０１において、ステープル数が１個の場合（１点ステープルの場合）、ステップＳ４０３への移行が行われるが、ステップＳ４０３〜Ｓ４０９では、第１実施形態におけるステップＳ１０４〜Ｓ１１０と同等の処理が行われるので、ここでは詳細説明を省略する。
【０１０９】
ステップＳ４１０では、用紙サイズに応じたパンチとじ位置の制限が行われる。この制限は、定形紙の主走査辺の長さが２９７ｍｍより大さい場合には主走査辺にパンチ加工を行うことができないという画像形成装置１Ａのハードウエア的な制約に起因して行われており、長さが２９７ｍｍより大きい定形紙の辺へパンチ加工を行うことになる選択肢をパンチコンボボックス５４２から削除することにより実現される。
【０１１０】
続くステップＳ４１１では、ステープル数およびステープルとじ位置の設定に応じたパンチ穴数およびパンチとじ位置の制限が行われる。より具体的には、ステープルコンボボックス５３２で、（１）「１点［左上］」が選択設定された場合、パンチコンボボックス５４２の選択肢から「２穴［右］および「３穴［右］」が削除され、（２）「１点［右上］」が選択設定された場合、パンチコンボボックス５４２の選択肢から「２穴［左］」および「３穴［左］」が削除され、（３）「２点［上］」が選択設定された場合、パンチコンボボックス５４２の選択肢から「２穴［右］「３穴［右］」「２穴［左］」および「３穴［左］」が削除され、（４）「２点［左］」が選択設定された場合、パンチコンボボックス５４２の選択肢から「２穴［上］」「３穴［上］」「２穴［右］」および「３穴［右］」が削除され、（５）「１点［右］」が選択設定された場合、パンチコンボボックス５４２の選択肢から「２穴［上］」「３穴［上］」「２穴［左］」および「３穴［左］」が削除される。このような制限処理によっても、ステープルとじ位置（隅）がパンチとじ位置（辺）と異なる辺にある、または、ステープルとじ位置（辺）がパンチとじ位置（辺）と異なるような不適切な選択肢が削除され、不適切な設定がなされることを防止可能である。
【０１１１】
ステップＳ４１１に続くステップＳ４１２では、現時点で選択されているパンチ穴数およびパンチとじ位置の選択肢がパンチコンボボックス５４２に残っているか否かによる処理の分岐が行われ、残っている場合、動作フローが終了し、残っていない場合、ステップＳ４１３への移行が行われる。
【０１１２】
さらに、ステップＳ４１３では、ステープルとじ位置の設定が判定され、ステープルとじ位置が「左上」に選択設定されている場合、パンチとじ位置の設定が「左」となり（ステップＳ４１４）、しかる後に動作フローが終了し、ステープルとじ位置が「右上」に選択設定されている場合、パンチとじ位置の設定が「右」となり（ステップＳ４１５）、しかる後に動作フローが終了する。
【０１１３】
上述のステップＳ４０４，Ｓ４０５およびＳ４１０は、不適切な選択肢をパンチコンボボックス５４２または両面印刷とじ位置コンボボックス４１２から削除する制限処理となっている。
【０１１４】
なお、このような制限処理を行っても、パンチ加工（両面印刷）を行う設定となっている場合に、現時点のパンチ穴数およびパンチとじ位置（両面印刷とじ位置）の設定に対応する選択肢がパンチコンボボックス５４２（両面印刷とじ位置コンボボックス４１２）から削除される恐れはない。なぜならば、パンチ加工（両面印刷）を行う設定がなされるとともに、パンチ穴数およびパンチとじ位置（両面印刷とじ位置）が既に設定されている場合、既に設定されているパンチ穴数およびパンチとじ位置（両面印刷とじ位置）とともに画像形成装置１Ａにおける画像形成に適用できない設定はあらかじめステープルコンボボックス５３２から削除されているからである。
【０１１５】
＜２．１．２  パンチとじ位置を入力した場合＞
図１７および図１８は、パンチチェックボックス５４１にチェックをいれてパンチ加工を行う設定にするとともに、パンチコンボボックス５４２を用いてパンチ穴数およびパンチとじ位置を入力（選択設定）した場合の、ステープルコンボボックス５３２における変化を説明するフローチャートである。
【０１１６】
図１７および図１８に示すように、パンチ加工を行う設定がなされるとともに、パンチコンボボックス５４２を用いてパンチ穴数およびパンチとじ位置が入力されると、最初に、両面印刷とじ位置の設定がパンチとじ位置の設定に連動して上書き変更される（ステップＳ５０１）。ここで、パンチとじ位置が「上」「左」または「右」に選択設定された場合、両面印刷とじ位置の変更後の設定は、両面印刷を行う設定の有無に関わらず、それぞれ、「上とじ」「左とじ」または「右とじ」となり、設定変更終了後に両面印刷とじ位置コンボボックス４１２は無効化される。
【０１１７】
ステップＳ５０１により、パンチとじ位置の設定が変更されると、それに連動して、両面印刷とじ位置の設定も変更され、両面印刷とじ位置の変更後の設定は、パンチとじ位置の変更後の設定とともに、前記画像形成装置１Ａにおける画像の形成に適用可能な（辺の位置が一致する）設定となる。これにより、パンチとじ位置の設定が変更されると、両面印刷とじ位置の設定が適切な設定に自動的に変更されるので、設定の変更を容易に行うことができる。
【０１１８】
さらに、この動作フローでは、パンチコンボボックス５４２によるパンチとじ位置の設定の変更に連動して両面印刷とじ位置の設定が変更された場合に、パンチ加工を行う設定が解除されない限り、両面印刷とじ位置コンボボックス４１２による両面印刷とじ位置の設定の変更が禁止される。これにより、制御装置１Ｂでは、両面印刷とじ位置コンボボックス４１２による両面印刷とじ位置の設定の変更よりも、パンチコンボボックス５４２によるパンチとじ位置の設定の変更の結果の方が優先されるので、パンチとじ位置の設定上の優先度を、両面印刷とじ位置よりも高くすることができる。
【０１１９】
一方、この動作フローでは、ステープルとじ位置の設定上の優先度がパンチとじ位置よりも高くなっているので、パンチとじ位置が変更されるのに連動してステープルとじ位置が上書き変更されることはない。
【０１２０】
ここで、再びステップＳ５０１に戻って説明を続ける。
【０１２１】
ステップＳ５０１に続くステップＳ５０２では、用紙サイズに応じたパンチとじ位置の制限が行われる。この制限は、定形紙の主走査辺の長さが２９７ｍｍより大さい場合には主走査辺にパンチ加工を行うことができないという画像形成装置１Ａのハードウエア的な制約に起因して行われており、長さが２９７ｍｍより大きい定形紙の辺へパンチ加工を行うことになる選択肢をパンチコンボボックス５４２から削除することにより実現される。
【０１２２】
続いて、ステップＳ５０３では、パンチとじ位置の設定が判定され、パンチとじ位置が「左」に選択設定されている場合、ステープルコンボボックス５３２の選択肢から「１点［右上］」「２点［上］」および「２点［右］」が削除され（ステップＳ５０４）、パンチとじ位置が「右」に選択設定されている場合、ステープルコンボボックス５３２の選択肢から「１点［左上］」「２点［上］」および「２点［左］」が削除され（ステップＳ５０６）、パンチとじ位置が「上」に選択設定されている場合、ステープルコンボボックス５３２の選択肢から「２点［左］」および「２点［右］」が削除される（ステップＳ５０５）。そして、ステップＳ５０４〜Ｓ５０６の終了後、ステップＳ５０７への移行が行われる。ステップＳ５０４〜Ｓ５０６により、ステープルとじ位置（隅）がパンチとじ位置（辺）と異なる辺にある、または、ステープルとじ位置（辺）がパンチとじ位置（辺）と異なるような不適切な選択肢が削除され、不適切な設定がなされることを防止可能である。なお、ステップＳ５０４〜Ｓ５０６の制限処理においては、第１実施形態と異なり、「２点（右）」「２点（上）」および「２点（左）」の選択肢の削除、すなわち、２点ステープルに対する制限処理も行われる。これは、第２実施形態では、ステープルとじ位置にパンチとじ位置を連動させる連動処理が行われないので、２点ステープルに対する制限処理を回避する必要がないためである。
【０１２３】
ステップＳ５０７では、現時点で選択されているステープル数およびステープルとじ位置の選択肢がステープルコンボボックス５３２に残っているか否かによる処理の分岐が行われ、残っている場合、動作フローが終了し、残っていない場合、ステップＳ５０８への移行が行われる。
【０１２４】
ステップＳ５０８では、パンチとじ位置の設定が判定され、パンチとじ位置が「右」に選択設定されている場合、ステープル数およびステープルとじ位置の設定が「１点［右上］」となり（ステップＳ５０９）、しかる後に動作フローが終了し、パンチとじ位置が「左」または「上」に選択設定されている場合、ステープル数およびステープルとじ位置の設定が「１点［左上］」となり（ステップＳ５１０）、しかる後に動作フローが終了する。
【０１２５】
なお、ステップＳ５０４〜Ｓ５０６のような制限処理を行っても、ステープル加工を行う設定となっている場合に、現時点のステープル数およびステープルとじ位置の設定に対応する選択肢がパンチコンボボックス５４２から削除される恐れはない。なぜならば、ステープル加工を行う設定がなされるとともに、ステープル数およびステープルとじ位置が既に設定されている場合、既に設定されているステープル数およびステープルとじ位置とともに画像形成装置１Ａにおける画像形成に適用できない設定に対応する選択肢はあらかじめパンチコンボボックス５４２から削除されているからである。
【図面の簡単な説明】
【０１２６】
【図１】本発明の実施形態に係る画像形成システム１，２の構成を示す図である。
【図２】画像形成装置１Ａの概略外観を示す図である。
【図３】記録紙ＰにステープルＳＴが打ち込まれた状態およびパンチ穴ＰＨが形成された状態を示す図である。
【図４】用紙設定画面３０の一例を図示する図である。
【図５】ページレイアウト設定画面４０の一例を図示する図である。
【図６】出力設定画面５０の一例を図示する図である。
【図７】第１実施形態に係る、設定項目の設定の間の依存関係を模式的に示す図である。
【図８】ステープル数およびステープルとじ位置を入力した場合のパンチコンボボックス５４２および両面印刷とじ位置コンボボックス４１２における変化を説明するフローチャートである。
【図９】ステープル数およびステープルとじ位置を入力した場合のパンチコンボボックス５４２および両面印刷とじ位置コンボボックス４１２における変化を説明するフローチャートである。
【図１０】ステープル数およびステープルとじ位置を入力した場合のパンチコンボボックス５４２および両面印刷とじ位置コンボボックス４１２における変化を説明するフローチャートである。
【図１１】パンチとじ位置を入力した場合のステープルコンボボックス５３２における変化を説明するフローチャートである。
【図１２】両面印刷とじ位置を入力した場合のステープルコンボボックス５３２における変化を説明するフローチャートである。
【図１３】両面印刷とじ位置を入力した場合ステープルコンボボックス５３２における変化を説明するフローチャートである。
【図１４】第２実施形態に係る、設定項目の設定の間の依存関係を模式的に示す図である。
【図１５】ステープル数およびステープルとじ位置を入力した場合のパンチコンボボックス５４２および両面印刷とじ位置コンボボックス４１２における変化を説明するフローチャートである。
【図１６】ステープル数およびステープルとじ位置を入力した場合のパンチコンボボックス５４２および両面印刷とじ位置コンボボックス４１２における変化を説明するフローチャートである。
【図１７】パンチ穴数およびパンチとじ位置を入力した場合のステープルコンボボックス５３２おける変化を説明するフローチャートである。
【図１８】パンチ穴数およびパンチとじ位置を入力した場合のステープルコンボボックス５３２おける変化を説明するフローチャートである。
【符号の説明】
【０１２７】
１  画像形成システム
１Ａ  画像形成装置
１Ｂ  制御装置
ＰＤ  プリンタドライバ
３０  用紙設定画面
４０  ページレイアウト設定画面
５０  出力設定画面
【図１】
2006154416.tif 000003
【図２】
2006154416.tif 000004
【図３】
2006154416.tif 000005
【図４】
2006154416.tif 000006
【図５】
2006154416.tif 000007
【図６】
2006154416.tif 000008
【図７】
2006154416.tif 000009
【図８】
2006154416.tif 000010
【図９】
2006154416.tif 000011
【図１０】
2006154416.tif 000012
【図１１】
2006154416.tif 000013
【図１２】
2006154416.tif 000014
【図１３】
2006154416.tif 000015
【図１４】
2006154416.tif 000016
【図１５】
2006154416.tif 000017
【図１６】
2006154416.tif 000018
【図１７】
2006154416.tif 000019
【図１８】
2006154416.tif 000020